(57)【要約】【課題】  部門情報や利用者情報が書き込まれている記録媒体のセット状態に応じたジョブ実行動作の継続／停止を、条件に応じて決定できる画像処理装置などを提供する。【解決手段】  管理装置２は磁気カードが挿入されたときにその磁気カードに書き込まれている部門情報または利用者情報をデジタル複写機１のシステムコントローラ６へ通知し、通知を受けて当該ジョブの画像処理を開始したシステムコントローラ６は実行中の画像処理資源使用状況を単位量使用するごとに前記部門情報または利用者情報に対応づけて管理装置２へ通知し、通知を受けた管理装置２は通知に基づいて前記部門情報または利用者情報に対応した累積使用状況を更新するとともに、挿入された磁気カードが装置から外されたとき、システムコントローラ６はその磁気カードに対応した実行中の動作をそのまま続行するか中断するかを条件に応じて決定する。【選択図】  図４
2007006400.tif 000002
【特許請求の範囲】
【請求項１】
印刷用紙上に画像を形成する画像形成手段を含む画像処理資源を有して画像処理を実行する画像処理実行手段と、部門情報または利用者情報が書き込まれている記録媒体を用いて前記画像処理資源の部門ごとまたは利用者ごとの使用状況を管理する使用状況管理手段とを備えた画像処理装置であって、
前記使用状況管理手段は、前記記録媒体が挿入されたときに該記録媒体に書き込まれている部門情報または利用者情報を前記画像処理実行手段へ通知し、通知を受けて当該ジョブの画像処理を開始した画像処理実行手段は実行中の画像処理資源使用状況を前記部門情報または利用者情報に対応づけて前記使用状況管理手段へ通知し、通知を受けた前記使用状況管理手段は前記通知に基づいて前記部門情報または利用者情報に対応した累積使用状況を更新するとともに、挿入された前記記録媒体が装置から外されたとき、前記画像処理実行手段は該記録媒体に対応した実行中の動作をそのまま続行するか中断するかを条件に応じて決定することを特徴とする画像処理装置。
【請求項２】
請求項１記載の画像処理装置において、挿入された前記記録媒体が装置から外されても当該ジョブの動作を継続している場合、前記使用状況管理手段は別の記録媒体が挿入されたときに該記録媒体に記録されている部門情報または利用者情報をジョブ継続動作中の前記画像処理実行手段へ通知することにより、前記画像処理実行手段は複数のジョブの画像処理を並行して実行し、前記使用状況管理手段は複数のジョブの使用状況を並行して更新することを特徴とする画像処理装置。
【請求項３】
請求項１記載の画像処理装置において、挿入された前記記録媒体が装置から外されたときに該記録媒体に対応した実行中の動作をそのまま継続するか中断するかをあらかじめ設定する設定手段を備えたことを特徴とする画像処理装置。
【請求項４】
請求項１記載の画像処理装置において、当該動作の対象となる画像データのセキュリティランクを取得するセキュリティランク取得手段を備え、挿入された前記記録媒体が装置から外されたとき、前記画像処理実行手段は前記セキュリティランク取得手段により取得されたセキュリティランクに応じて該記録媒体に対応した実行中の動作を継続するか中断するかを決定することを特徴とする画像処理装置。
【請求項５】
請求項１乃至４のいずれか１項に記載の画像処理装置において、前記画像処理資源として画像読み取り手段、ファクシミリ通信手段、または画像蓄積手段を有することを特徴とする画像処理装置。
【請求項６】
請求項１乃至４のいずれか１項に記載の画像処理装置において、前記使用状況管理手段は前記使用状況として画像形成を行った用紙枚数、ファクシミリ通信を行った原稿枚数、ファクシミリ通信回数、またはファクシミリ通信時間を管理することを特徴とする画像処理装置。
【請求項７】
請求項１乃至４のいずれか１項に記載の画像処理装置において、前記使用状況管理手段は前記使用状況を、画像形成の種別ごとまたはファクシミリ通信の種別ごとに管理することを特徴とする画像処理装置。
【請求項８】
部門情報または利用者情報が書き込まれている記録媒体を用いて複数の画像処理資源のそれぞれについて部門ごとまたは利用者ごとの使用状況を管理する画像処理装置の資源使用状況管理方法であって、
使用状況管理側は、前記記録媒体が挿入されたときに該記録媒体に書き込まれている部門情報または利用者情報を前記画像処理実行側へ通知し、通知を受けて当該ジョブの画像処理を開始した画像処理実行側は実行中の画像処理資源使用状況を前記部門情報または利用者情報に対応づけて前記使用状況管理側へ通知し、通知を受けた前記使用状況管理側は前記通知に基づいて前記部門情報または利用者情報に対応した累積使用状況を更新するとともに、挿入された前記記録媒体が装置から外されたとき、前記画像処理実行側は該記録媒体に対応した実行中の動作をそのまま続行するか中断するかを条件に応じて決定することを特徴とする画像処理装置の資源使用状況管理方法。
【請求項９】
請求項８記載の画像処理装置の資源使用状況管理方法において、挿入された前記記録媒体が装置から外されても当該ジョブの動作を継続している場合、前記使用状況管理側は別の記録媒体が挿入されたときに該記録媒体に記録されている部門情報または利用者情報をジョブ継続動作中の前記画像処理実行側へ通知することにより、前記画像処理実行側は複数のジョブの画像処理を並行して実行し、前記使用状況管理側は複数のジョブの使用状況を並行して更新することを特徴とする画像処理装置の資源使用状況管理方法。
【発明の詳細な説明】
【技術分野】
【０００１】
本発明は、複写機、ファクシミリ装置、プリンタ、印刷機、スキャナおよび複合画像処理装置など、画像処理機能を持った画像処理装置に係り、特に画像処理装置が有している複数の画像処理資源の使用状況管理に関する。
【背景技術】
【０００２】
最近は例えば複写機能、プリント（印刷）機能、ファクシミリ通信機能、画像読み取り機能など、複数の画像処理機能を持った複合機が多くなり、プリントしながらファクシミリ通信のための原稿を読み取るなどマルチタスクも行えるようになった。
また、最近のデジタル複写機では、ハードディスク記憶装置などを備え、複数部のコピーを行うような場合、読み取った画像データをそのハードディスク記憶装置にいったん格納してから複数部のプリント出力を行うものも提供されている。このような構成では、画像データを一度読み込んでしまえば、プリント出力と並行して次ジョブの原稿読み取りも可能になる。
一方、デジタル複写機や複合画像処理装置など画像処理装置においては、課金処理なども行われている。課金管理手段を備え、利用者が画像処理装置の有している機能を用いたときにその使用内容に応じて部門ごとまたは利用者ごとに課金するのである。具体的には、社員証など着脱可能な記録媒体に部門情報や利用者情報を記憶しておき、例えばコピーを行う際にはそのような記録媒体をデジタル複写機など画像処理装置に挿入（セット）することにより、画像処理装置はその部門情報または利用者情報を記録媒体から取得し、取得した部門情報または利用者情報に対応づけてそのときの使用内容に応じた課金結果を累積する。
しかし、前記した画像処理装置では、着脱可能な記録媒体を装置にセットしているときのみしか画像処理装置を使用できなかった。記録媒体がセットされているときに画像処理部から管理部に使用状況を示す使用カウント情報が入力されると、管理部はその記録媒体に記憶されている部門情報や利用者情報など識別符号に対応づけて使用カウント情報をカウントしていたからである。したがって、ある作業を行っている最中に違うアプリケーションに切り替えたり、次ジョブの予約を行ったりすることが不可能であった。どの識別符号に対する使用カウントかを識別できなかったので、識別符号の異なる利用者が使用することはできなかったのである。記録媒体をセットしてあるので、出力作業が終了するまでその場を離れることも不可能であった。
そのため、特許文献１に示された従来技術では、記録媒体を用いて使用管理を行う場合にも複数ジョブの並行処理ができるようにしている。この従来技術では、記録媒体として例えば社員証を用いた場合で、ジョブが終了するまで社員証を読み取り手段にセットしておく必要がなく、したがって、その場を少し離れた間に誰かに社員証を奪われるといったことを防げる。
【特許文献１】特開２０００−４７５３４公報
【発明の開示】
【発明が解決しようとする課題】
【０００３】
しかしながら、前記した特許文献１に示された従来技術は新たな問題を引き起こしている。例えば、出力指示を行うホスト装置からプリンタまで離れている場合、プリント出力された機密文書を誰かに見られたり、持っていかれてしまったりするおそれがある。このような場合は、社員証など記録媒体がセットされたときにジョブを開始し、機密文書の出力途中で急にその場を離れなければならなくなったとき、記録媒体が装置から抜かれたならば、その時点で出力が停止するのも機密保持上望ましいことである。
つまり、一方では記録媒体が装置にセットされていなくてもジョブを継続するのが望ましく、一方では記録媒体が装置にセットされているときにだけジョブを行うのが望ましいという相反した要求があるのである。この要求は基本的には扱う情報の機密度合いに係っており、機密度合いの低い情報の処理の場合は記録媒体がなくてもジョブを継続することが望ましく、機密度合いの高い情報の処理の場合は記録媒体があるときにだけジョブを実行することが望ましいということになる。
なお、利用者によっては情報のセキュリティランクではなく他の面から相反した要求が出てくる。
本発明は、このような従来技術の問題を解決しようとするものであり、具体的には、処理対象の情報のセキュリティランクや利用者の要求などに従って、部門情報や利用者情報が書き込まれている記録媒体のセット状態に応じたジョブ実行動作の継続／停止を決定できる画像処理装置などを提供することを目的とする。
【課題を解決するための手段】
【０００４】
前記した課題を解決するために、請求項１記載の画像処理装置は、印刷用紙上に画像を形成する画像形成手段を含む画像処理資源を有して画像処理を実行する画像処理実行手段と、部門情報または利用者情報が書き込まれている記録媒体を用いて前記画像処理資源の部門ごとまたは利用者ごとの使用状況を管理する使用状況管理手段とを備えた画像処理装置であって、前記使用状況管理手段は、前記記録媒体が挿入されたときに該記録媒体に書き込まれている部門情報または利用者情報を前記画像処理実行手段へ通知し、通知を受けて当該ジョブの画像処理を開始した画像処理実行手段は実行中の画像処理資源使用状況を前記部門情報または利用者情報に対応づけて前記使用状況管理手段へ通知し、通知を受けた前記使用状況管理手段は前記通知に基づいて前記部門情報または利用者情報に対応した累積使用状況を更新するとともに、挿入された前記記録媒体が装置から外されたとき、前記画像処理実行手段は該記録媒体に対応した実行中の動作をそのまま続行するか中断するかを条件に応じて決定することを特徴とする。
請求項２記載の画像処理装置は、請求項１記載の画像処理装置において、挿入された前記記録媒体が装置から外されても当該ジョブの動作を継続している場合、前記使用状況管理手段は別の記録媒体が挿入されたときに該記録媒体に記録されている部門情報または利用者情報をジョブ継続動作中の前記画像処理実行手段へ通知することにより、前記画像処理実行手段は複数のジョブの画像処理を並行して実行し、前記使用状況管理手段は複数のジョブの使用状況を並行して更新することを特徴とする。
請求項３記載の画像処理装置は、請求項１記載の画像処理装置において、挿入された前記記録媒体が装置から外されたときに該記録媒体に対応した実行中の動作をそのまま継続するか中断するかをあらかじめ設定する設定手段を備えたことを特徴とする。
請求項４記載の画像処理装置は、請求項１記載の画像処理装置において、当該動作の対象となる画像データのセキュリティランクを取得するセキュリティランク取得手段を備え、挿入された前記記録媒体が装置から外されたとき、前記画像処理実行手段は前記セキュリティランク取得手段により取得されたセキュリティランクに応じて該記録媒体に対応した実行中の動作を継続するか中断するかを決定することを特徴とする。
【０００５】
請求項５記載の像処理装置は、請求項１乃至４のいずれか１項に記載の画像処理装置において、前記画像処理資源として画像読み取り手段、ファクシミリ通信手段、または画像蓄積手段を有することを特徴とする。
また、請求項６記載の画像処理装置は、請求項１乃至４のいずれか１項に記載の画像処理装置において、前記使用状況管理手段は前記使用状況として画像形成を行った用紙枚数、ファクシミリ通信を行った原稿枚数、ファクシミリ通信回数、またはファクシミリ通信時間を管理することを特徴とする。
請求項７記載の画像処理装置は、請求項１乃至４のいずれか１項に記載の画像処理装置において、前記使用状況管理手段は前記使用状況を、画像形成の種別ごとまたはファクシミリ通信の種別ごとに管理することを特徴とする。
請求項８記載の方法は、部門情報または利用者情報が書き込まれている記録媒体を用いて複数の画像処理資源のそれぞれについて部門ごとまたは利用者ごとの使用状況を管理する画像処理装置の資源使用状況管理方法であって、使用状況管理側は、前記記録媒体が挿入されたときに該記録媒体に書き込まれている部門情報または利用者情報を前記画像処理実行側へ通知し、通知を受けて当該ジョブの画像処理を開始した画像処理実行側は実行中の画像処理資源使用状況を前記部門情報または利用者情報に対応づけて前記使用状況管理側へ通知し、通知を受けた前記使用状況管理側は前記通知に基づいて前記部門情報または利用者情報に対応した累積使用状況を更新するとともに、挿入された前記記録媒体が装置から外されたとき、前記画像処理実行側は該記録媒体に対応した実行中の動作をそのまま続行するか中断するかを条件に応じて決定することを特徴とする。
請求項９記載の方法は、請求項８記載の画像処理装置の資源使用状況管理方法において、挿入された前記記録媒体が装置から外されても当該ジョブの動作を継続している場合、前記使用状況管理側は別の記録媒体が挿入されたときに該記録媒体に記録されている部門情報または利用者情報をジョブ継続動作中の前記画像処理実行側へ通知することにより、前記画像処理実行側は複数のジョブの画像処理を並行して実行し、前記使用状況管理側は複数のジョブの使用状況を並行して更新することを特徴とする。
【発明の効果】
【０００６】
本発明によれば、部門情報または利用者情報に対応した累積使用状況を更新できるだけでなく、挿入された記録媒体が装置から外されたとき、その記録媒体に対応した実行中の動作をそのまま続行するか中断するかを条件に応じて決定できるので、利用者の使い勝手が良くなる。
【発明を実施するための最良の形態】
【０００７】
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
図１は、本発明の一実施形態を示す、管理装置付きデジタル複写機の外観図である。図示したように、デジタル複写機１と管理装置２とが接続された構成である。なお、このデジタル複写機１は複写（コピー）機能、ファクシミリ通信機能、プリント（印刷）機能、画像入力機能、ファイル（画像蓄積）機能などを持っており（以下においてはこれらの機能をアプリケーションと呼ぶ）、利用者はデジタル複写機１に設けられた操作部３を操作することにより所望の機能を用いることができる。
図２に、操作部３の外観図を示す。図示したように、操作部中央には設定状態や警告などを表示するためのＬＣＤ（液晶ディスプレイ）３１を備えている。アプリケーション切り替えキー３２はコピー、ファクシミリ通信、プリントの各アプリケーションへの切り替えキーで、利用者がこのうちのいずれかのキーを押下すると、システムコントローラはそれに応じてＬＣＤ３１の表示画面を押下されたキーに対応するアプリケーションの表示画面にする。なお、操作部３の裏側には図示しないスピーカが取り付けられており、システムコントローラはキー押下時や警告時に音を発生させる。
各アプリケーションをマルチタスクで実行するために、この実施形態では機能ユニット単位をリソース（資源）として扱い、システムコントローラは一つのリソースを複数のアプリケーションで共有できるように管理する。なお、このデジタル複写機１で管理しているリソースには、画像読み取り装置、画像形成装置、操作部、メモリ、原稿搬送装置（ＤＦ）やソーターなど周辺装置がある。
図３は前記したような管理を行うために階層的に構成したシステムの構成図である。図３におけるデバイス制御層は、システム制御層からのコマンドや制御信号など論理的指示を受けて、実際に装置を動かすために、クラッチやモータを駆動したり、センサからの信号を取り込んだりする。また、アプリケーション層は、前記した各アプリケーションがシステム制御層から提供される機能を共有し共存できる層である。
【０００８】
図４に、各アプリケーションがリソースを共有する様を示す。図示したように、デジタル複写機１は、操作部３、画像読み取り装置４、画像形成装置５、システムコントローラ６、ファクシミリ通信部７、画像蓄積装置（例えばハードディスク記憶装置）８などを備え、システムコントローラ６は、ＣＰＵ１１、ページメモリ１２などを備え、各アプリケーションはこれらを共有するのである。なお、アプリケーション層、システムコントローラ６、各リソースのコントローラに個別のＣＰＵを持たせ、システムコントローラ６から各コントローラへのコマンドを制御信号線で伝達するハードウェア構成でもよい。また、操作部３の制御を行うための操作部制御バスも、その代わりに制御信号線を用いてコマンドをやりとりする構成でもよい。
そのような構成で、画像読み取り装置４は、光源を原稿に照射し、その反射光を固体作像素子（ＣＣＤ）により電気信号に変換し、必要な画像データ処理を行う。また、画像形成装置５は、電気信号で送られた画像イメージを電子写真、感熱、熱転写、またはインクジェットなどの手段により普通紙や感熱紙などに画像を形成する。
一方、管理装置２は、制御部２１、カード読み取り部２２、表示部２３（図１参照）、操作キー２４（図１参照）、インタフェース（Ｉ／Ｆ）部２５、不揮発性のロギング用メモリ２６などを備える。Ｉ／Ｆ部２５は例えばシリアル通信によりデジタル複写機１との通信を行う。
【０００９】
図５は、アプリケーション層とシステム制御層の関係を示す構成図である。
システム制御層は、アプリケーション層から見て、それぞれのアプリケーションに個別に仮想リソースが存在するようにする機能を提供する。この機能によって、アプリケーション層ではシステム状態を管理する必要がなくなり、システム制御層ではすべてのアプリケーションを同一条件で管理することが可能となる。つまり、アプリケーションは使用したいリソースが発生した時点でシステム制御層に使用要求を送り、システム制御層ではその時点におけるリソース使用状況から判断して使用要求に対する返答を要求元アプリケーションへ送る。要求元アプリケーションではその返答により実行可能か否かを判断し、可能であれば実行する。その際、同様の手順で実行権管理も行う。
なお、図５において、波線で囲まれたリソースは仮想リソースであり、実行権（操作部の場合は表示権）を獲得していない状態、実線で囲まれたリソースは実行権を獲得した状態を示す。アプリケーション層のそれぞれのアプリケーションはマルチタスクでいずれも実行権を獲得した状態にある（実際には周期的に実行権が回ってくる）。実質的には動作していないアプリケーションも周期的に実行権が回ってきた際に、例えばアプリケーション切り替えキー３２が押されたかどうかを判定する処理などを行っている。
図３に示した構成では、各リソースはいずれも１つしかない。そのためシステム制御層では、アプリケーションからの仮想リソース使用要求が競合した場合、リソース使用権を渡すに際して排他制御または時分割割り付けを行う。排他制御を行うか時分割割り付けを行うかはリソースの種類や利用者の設定により異なってくる。
【００１０】
次に、図６によりインターリーブ（差し込み出力）動作を説明する。図６において、波線で囲まれたリソースは仮想リソースであり、実行権を獲得していない状態、実線で囲まれたリソースは実行権を獲得した状態を示す。なお、インターリーブ動作は主に画像出力時の動作で用いられる。
画像出力では一般に、目的を同じくする一連の動作（これを１ジョブと称する）を完了するまで他の動作を実行しない。例えばコピー機能、ファクシミリ通信機能、プリント出力機能などを持つ場合において、複写機能が終了してからプリント出力機能に切り替えるというようにジョブ単位の出力を行っている。それに対してインターリーブ動作では、１つのジョブの実行中に他のジョブの実行を差し込んで出力する。例えばコピー実行中に機械動作を止めることなくプリント出力を実現するのである。
図６ではコピーアプリケーションとプリントアプリケーションとのインターリーブ動作を示している。図示の状態では、コピーアプリケーションが操作部３と画像読み取り装置４と画像形成装置５の実行権を獲得して実行中である。このときプリントアプリケーションから画像形成装置５の使用要求のみがくると、インターリーブモード可能に設定されている場合、システム制御層は画像形成装置５を例えば時分割割り付け制御する。リソースの実行権を例えばページ単位で複数のアプリケーション間で動的に変更するのである。その結果、画像形成装置５から、コピーアプリケーションの出力とプリントアプリケーションの出力が混在した状態で出力される。この間、画像形成装置５の動作を停止することなく変更可能とすることにより両者の待ち時間を最小限に抑えられる。
【００１１】
次に、図７により並列動作を説明する。破線の意味は図６の場合と同様である。図７は、操作部３の表示権についてはファクシミリ通信アプリケーションが獲得しており、その他の動作についてはプリントアプリケーションとファクシミリ通信アプリケーションが並列動作を行っていることを示している。これは、ファクシミリ通信アプリケーションが例えば操作部３と画像読み取り装置４のみを使用してファクシミリ送信を行い、一方、プリントアプリケーションがプリント出力のために画像形成装置５のみを用いる場合である。このような場合は、ファクシミリ通信アプリケーションとプリントアプリケーションが同時にリソースを要求してきてもリソースの競合が発生しないので、排他制御または時分割割り付け制御が必要なく、両アプリケーションの要求を受け入れることが可能なのである。したがって、プリントアプリケーションとファクシミリ通信アプリケーションの動作をまったく同時に行うことができる。
次に、システムコントローラ６と各ユニットやアプリケーションとの通信、およびシステムコントローラ６と管理装置２との通信だが、両者間のハンドシェークについてシリアル通信を例に説明する。
シリアル通信のプロトコルとして、ここでは、伝送速度を９６００ｂｉｔ／ｓ、同期方式を調歩同期式（非同期）、データ長を８ｂｉｔ、スタートビットを１ビット、ストップビットを１ビット、パリティビットを奇数と規定する。送受信はフレーム単位で行い、通信上の誤り回復のために、受信側はフレームを受信した場合Ａｃｋｎｏｗｌｅｄｇｅ（以下、ＡＣＫ）、Ｎｏｎ−Ａｃｋｎｏｗｌｅｄｇｅ（以下、ＮＡＫ）のどちらかを送信側に通知する。
送信側はＡＣＫを受信すると、相手局がフレームを正常に受信したことを認識する。一方、ＮＡＫを受信した場合は、回線上のエラー（例えば、パリティエラーやフレーミングエラーなど）が発生したものとし、送信フレームを再び送り直す。所定時間（ここでは３００ｍｓ）経過してもＡＣＫまたはＮＡＫを受信できなかった場合（タイムアウトエラーが発生した場合）も、相手局が無応答と判断し再送を行う。再送を何回か行っても（ここでは４回）ＡＣＫを受信できない場合、相手局を異常と判断する。
なお、この実施形態では、データのフレームにＡＳＣＩＩ文字列を用い、Ｈ‘００’からＨ‘１Ｆ’までの領域にＡＣＫやＮＡＫなど制御用データを割り当てている。
次に、初期設定について説明する。初期設定とは、頻繁に使用する条件に合わせて、電源投入時の各機能の設定値や操作の条件などを自動的に設定することで、このデジタル複写機全般の機能の設定を行うシステム初期設定とコピーモードの機能の設定に限定したコピー初期設定とファクシミリモードの機能の設定に限定したファックス初期設定などがある。
例えばシステム初期設定には、キー操作後、所定時間なにも操作を行わなかったときに電源を入れたときの状態に戻す際のその所定時間であるオートクリア時間の設定などがあり、コピー初期設定には、セットできるコピー枚数の上限を設定するコピーセット枚数制限の設定や、両面コピーで裏面の左とじ代幅を設定する両面コピー左とじ幅などがある。また、ファックス初期設定には、受信した時間を印字する機能を選択する受信時刻印字の設定や、頻繁に使用する相手の電話番号を登録する宛先登録などがある。
【００１２】
次に、管理装置２について説明する。
図１において、磁気カード２９（請求項記載の記録媒体に相当する）は、利用者を識別するための各利用者固有の利用者コード（ＩＤコード、請求項記載の利用者情報に相当する）などが記録されている磁気ストライプ付きカードである。ＩＣカードなどを用いてもよい。なお、この実施形態では、コピーした枚数など使用状態情報は管理装置内にあるロギング用メモリ２６に記憶する。使用状態情報をデジタル複写機１内に蓄積してもよい。
磁気カード２９は個人ごとまたは部門ごとに配られている。この磁気カード２９のフォーマットはあらかじめ管理装置２に登録されたフォーマットに従っていなくてもよい。但し、フォーマットが同じであれば磁気カード２９をそのまま使用できるが、フォーマットの異なる例えば社員証などを使用してデジタル複写機１の使用管理を行う場合は、磁気カード２９の種類やフォーマットを管理装置２にあらかじめ登録しておく。
ここで、管理装置２について説明する。
図１および図４に示した管理装置２において、制御部２１はＣＰＵおよびメモリを備え、管理装置２の制御を行うとともに、コピー枚数や設定値など各種データを記憶する。また、カード読み取り部２２は磁気カード２９の両面読み取りができる差込み式カードリーダーを備えており、磁気カード２９を挿入することにより磁気カード２９から磁気情報を読み取る。
表示部２３は読み込んだ利用者コードやその他の情報、および各種メッセージを表示する。操作キー２４は管理装置２の各種設定を行うときなどに使用する。インタフェース（Ｉ／Ｆ）部２５はデジタル複写機１とのデータのやり取りを行う。
【００１３】
次に、例えばＪＩＳIIの規格の磁気カードで社員証を作成した場合を例に、磁気カード２９のフォーマットおよびデータ構成について説明する。
一般に、磁気カードで作成した社員証にはその会社独自の認識コードを記録している。これは同じ規格で書かれた磁気カードと判別を行うためである。以下に、フォーマットを示す。
始め符号          １ キャラクタ
データ            最大６９ キャラクタ
終わり記号        １ キャラクタ
ＬＲＣ符号        １ キャラクタ
合計              最大７２ キャラクタ
データは最大６９キャラクタであるからＪＩＳIIの磁気カード２９で社員証を作る場合は、この範囲にその会社独自の認識コードや社員番号などを記録することになる。したがって、どこに前記した利用者コードや部門コードを記録するかはその会社によって異なるのである。
以下に、この管理装置付きデジタル複写機における磁気カード２９のデータ構成を、社員証を例に示す。以下において、左側の数字は頭からのバイト数である。
１          始まり符号
２〜５      スペース
６〜１０    認識コード（当管理装置用のカードであることを示すコード）
１１〜１６    部門コード
１７〜２２    発行年月日  ＹＹＭＭＤＤ
２３          性別  ０：男性  １：女性
２４〜２７    利用者コード（社員番号）
２８〜４１    氏名
４２〜７０    スペース
７１          終わり符号
７２          ＬＲＣ符号
７３〜        スペース
なお、コピー枚数などを記録する領域を設けてもよい。
【００１４】
そこで、この実施形態の管理装置付きデジタル複写機では管理装置２に以下の設定を行う。
（１）認識コードは６から１０バイト目であることを設定する。
（２）認識コードが“ＲＩＣ”であることを設定する。
（３）部門コード（請求項記載の部門情報に相当する）が１１から１６バイト目、利用者コード（請求項記載の利用者情報に相当する）が２４から２７バイト目であることを設定する。
この情報は、管理装置２のロギング用メモリ２６に記憶され、メモリクリアの作業が行われるまで有効である。なお、この設定は管理者または保守担当者しか行えないようになっており、設定モードに入った後に表示部２３および操作キー２４を用いて設定する。
同様にして、アプリケーションやモードごとの使用権情報（使用許可か禁止かを示す情報）を例えば社員番号ごとに設定させ、ロギング用メモリ２６に記憶する。
なお、前記した設定は管理装置２に接続されたパーソナルコンピュータなどを用いて行うことも可能である。
デジタル複写機１と管理装置２とはインタフェースケーブルによって接続されていて、管理装置２は電源をそのインタフェースケーブルによってデジタル複写機１から供給されるが、別電源で動作することも可能である。後者の構成では、デジタル複写機１の電源が落とされている夜間などにパーソナルコンピュータによりコピー枚数の集計を行うことができる。
なお、この実施形態の管理装置付きデジタル複写機では、請求項記載の画像処理実行手段、使用状況管理手段、画像読み取り手段、画像形成手段、ファクシミリ通信手段、画像蓄積手段がそれぞれ、デジタル複写機１、管理装置２、画像読み取り装置３、ファクシミリ通信部７、画像蓄積装置８により実現される。
【００１５】
以下、各実施例を説明する。
［実施例１］
この実施例の動作フローを図８に示す。以下、図８に従ってこの実施例の動作フローを説明する。なお、前記したような設定がすでに行われているものとする。
この実施例では、デジタル複写機１のシステムコントローラ６は、コピーが可能な場合、操作部３にあるスタートキー３３の発光部を緑色に表示させ、コピー不可の状態のときは赤色に表示させる。また、コピーが可能な場合、管理装置２にカードを挿入するように操作部３に表示させる。そして、コピーを行いたいとき、利用者は管理装置２に磁気カード２９を挿入する。磁気カード２９には前記したように、当管理装置用のカードであるか否かを示す認識コード、部門コード、利用者コードなどが記録されている。
制御部２１は磁気カード２９が挿入されたことを認識すると（ステップ１でＹｅｓ）、磁気カード２９から読み出された認識コードを取得し、その磁気カード２９が当該管理装置用のカードであるか否かを判定する（ステップ２）。その磁気カード２９の認識コードがロギング用メモリ２６に登録されている認識コードと一致するか否かを判定するのである。そして、一致しない場合（ステップ２でＮｏ）、そのカードが使えない旨を表示部２３に表示させ（ステップ３）、ステップ１１へ進む。
それに対して、一致する場合は（ステップ２でＹｅｓ）、磁気カード２６から読み出された例えば部門コードなど識別符号を取得し、その識別符号でコピーされたこれまでの累積コピー枚数、また設定によっては残コピー枚数をロギング用メモリ２６から取得し、表示部２３に表示させる（ステップ４）。
【００１６】
続いて、識別符号などに対応した該当する使用権情報など管理情報（後述）をロギング用メモリ２６から取り出し、その管理情報を識別符号とともにデジタル複写機１へ通知する（ステップ５）。この情報をもとに、デジタル複写機１は指定されたアプリケーションやモードの使用を許可するか否かを判定し（ステップ６）、許可しない場合（ステップ６でＮｏ）、操作部３にその旨を表示して（ステップ７）ステップ１１へ進む。許可した場合には（ステップ６でＹｅｓ）、ジョブの内容を操作部３により指定させ、指定されたジョブの実行を開始し（ステップ８）、単位量の終了ごと（例えば１枚コピーするごと）に管理装置２へ後述するカウント要求（計数要求）を出す（ステップ９）。
この実施例では、このような実行中の状態で、次のジョブのアプリケーション切り替えキー３２が押されると（ステップ１０でＹｅｓ）、管理装置２では、操作部３から指定された次のジョブについてステップ１の磁気カード挿入状態チェックから繰り返す。システムコントローラ６は管理装置２から管理情報通知のあったすべてのジョブについて実行が終了したか否かを判定し（ステップ１１）、終了していないジョブがあれば（ステップ１１でＮｏ）、そのジョブの実行状態でステップ９から繰り返す。そして、すべてのジョブが終了すると（ステップ１１でＹｅｓ）、この動作フローを終了させる。
その際、実行中のジョブに対応した磁気カード２９が抜かれ、次のジョブのために他の磁気カード２９が管理装置２に挿入されていてもよい。磁気カード２９が他の磁気カード２９に変わり、識別符号などが変われば、新たな識別符号に対応づけてステップ１から繰り返すのである。但し、システムコントローラ６は実行中のアプリケーションのジョブ指定で指定された内容のジョブ（作業）が終了するまで管理装置２から受け取った管理情報を記憶している。したがって、当該アプリケーション実行中に磁気カード２９が管理装置２から抜かれても動作を停止する必要がない。なお、指定された内容のジョブが終了すると、記憶しておいた管理情報のメモリ領域を空き領域とする。
【００１７】
従来、識別符号は管理装置２からデジタル複写機１へ通知しておらず、管理装置２はカウント要求が入力された際に挿入されていた識別符号の使用量として記憶していたので、磁気カード２９が抜かれたときに即座に動作を停止する必要があったのである。従来一般には、停止しないまま次のジョブのために他の磁気カードが挿入されると、続行中のジョブの使用結果があとから挿入された磁気カードのＩＤコードの使用分とされてしまうのである。したがって、従来は識別符号が異なる場合、前記したような次ジョブの実行は不可能であった。
それに対して、この実施例では前記したように異なった識別符号の次ジョブのアプリケーションの並行動作が可能になるので、処理効率が向上し、利用者から見れば待ち時間が減少する。
【００１８】
以下に、管理装置２に使用権情報として設定できる使用禁止事項を示す。
（１）全禁止（全部門禁止）
すべての部門の使用を禁止する。管理装置２はどの磁気カード２９が挿入されても使用を許可しない。
（２）部門コードに応じて禁止（指定部門禁止）
特定の部門の使用を禁止する。管理装置２はあらかじめ設定されていた部門コードの磁気カード２９が挿入されたときのみ使用を許可しない。
（３）種類による禁止
全部門、指定部門と組み合わせての設定が可能である。例えばデザイン部門だけは禁止をかけず、他の部門はカラーコピーを禁止することにより、カラーコピーの増大を防ぐ。
（４）上限枚数による禁止
所定期間（例えば１ヶ月）当たりの例えばコピー上限枚数をコピー種類、コピーモードごとに管理装置２に設定しておくとともに、デジタル複写機１から管理装置２へ入力されるカウント信号の数を管理装置２の制御部２１が数え、管理装置２が各残枚数を管理情報としてデジタル複写機１へ通知することにより、操作部３から指定された当該ジョブのコピー枚数が対応する残枚数を超えるとき、システムコントローラ６は指定されたジョブのコピーを禁止する。全部門または指定部門のみ、例えばコピーの場合はコピー種類ごとに設定でき、例えば１ヶ月当たりの総コピー枚数やカラーコピー枚数を制限したい場合に設定する。
（５）リピートコピー枚数による禁止
これはデジタル複写機１に蓄積されている文書を再コピーする場合のコピー制限であり、利用者がデジタル複写機１の操作部３により入力したコピー枚数があらかじめ管理装置２に設定された枚数よりも多い場合はコピーを禁止する。
【００１９】
次に、管理装置２が管理している管理情報を列挙する。
（１１）部門コードおよび／または利用者コード
（１２）カード挿入状態：磁気カードなし／磁気カードセットを示す情報
（１３）コピー枚数計数状態：所定期間当たりのコピー枚数の上限が設定されているときのコピー残枚数
（１４）コピー利用者制限：片面、両面、白黒、シングルカラー、２色カラー、フルカラーなどの画像形成機能、ステープル機能の使用禁止設定が行われているか否かを示す情報
（１５）ファクシミリ送信の計数状態：所定期間当たりの送信回数（または送信原稿枚数）の上限を設定しているときのファクシミリ送信の残回数（または残枚数）
（１６）ファクシミリ送信利用者制限：ファクシミリ送信の使用禁止設定が行われているか否かを示す情報
（１７）プリント係数状態：所定期間当たりのプリント枚数の上限を設定しているときのプリント出力の残枚数
（１８）プリント利用者制限：プリントの使用禁止設定が行われているか否かを示す情報
【００２０】
次に、前記したカウント要求について説明する。
このカウント要求は管理装置２が各種リソースの使用状況を計数（カウント）するためのもので、デジタル複写機１が、管理装置２から管理情報を受け取ったのち、ジョブの実行を開始し、単位量の実行が終了するごとに以下の項目の一部から成るカウント要求を管理装置２へ送信する。
（２１）識別符号：管理装置２から受け取っている情報であり、どの識別符号に関するカウント要求（計数要求）かを知らせるために必要である。
（２２）カウント要求対象：コピー、ファクシミリ送信、ファクシミリ受信、画像読み取り、プリント、後処理（ステープル）、版作成、管理レポートなどのうちのどれに対するカウント要求かを示す情報
（２３）カウントパラメータ：コピー枚数など詳細カウント対象と種別で、この情報はカウント要求対象によって以下のように変化する。これにより、各種別について詳細カウント対象ごとの計数を要求する。
コピーの場合：コピー枚数、カラーモード／モノクロモード、片面／両面、サイズ、紙種など
ファクシミリ送信の場合：送信回数、送信料金、送信原稿枚数、送信時間、回線種別 など
ファクシミリ受信の場合：受信枚数、片面／両面、紙サイズ、回線種別
プリントの場合：プリント枚数、カラーモード／モノクロモード、片面／両面、紙サイズ、紙種
後処理の場合：ステープル回数
版作成（印刷機の版）の場合：版作成回数
管理レポートの場合：出力枚数
このような項目中の一部を１セットにしたカウント要求をデジタル複写機１から管理装置２へ送信する。
そのほか、デジタル複写機１と管理装置２との間で以下の情報のやりとりも行う。
（３１）管理装置状態通知：管理装置２が初期化中など、カウント要求を受け付けられないときにその状態をこの通知でデジタル複写機１へ通知する。
（３２）ＬＣＤ表示コマンド：予約時や同時に２つのアプリケーションが動作している際に、現在デジタル複写機側で動作中のジョブの識別符号と管理装置２に挿入されている磁気カード２９の識別符号が一致しない場合が発生すると、現在どの識別符号の情報を管理装置２の表示部２３に表示すればよいか、また表示をオンにするかオフにするかをこのコマンドでデジタル複写機１から指示する。
【００２１】
［実施例２］
実施例２では、実施例１において、ジョブ実行中、デジタル複写機１からカウント要求を受けた管理装置２はそのカウント要求に基づいて部門コードや利用者コードなど識別符号に対応した累積使用状況を更新するとともに、セットされていた磁気カード２９が管理装置２から外されたとき、デジタル複写機１は外された磁気カード２９に対応した実行中の動作をそのまま続行するか中断するかを条件に応じて決定する。以下、実施例２のコピー動作の動作フローを図９に従って説明する。
まず、利用者がデジタル複写機１のアプリケーション切り替えキー３２の１つであるコピーキーを押下する。これにより、システムコントローラ６は「カードをセットして下さい」というメッセージをＬＣＤ３１に表示させる。このシステムコントローラ６からの指示により、管理装置２においても制御部２１が表示部２３に同様のメッセージを表示させる（ステップ２１）。そして、管理装置２に磁気カード２９が挿入されたことを検出すると（ステップ２２）、磁気カード２９から読み取った認識コードを照合し（ステップ２３）、一致した場合は（詳細は図８のステップ２〜ステップ４による）、磁気カード２９から読み出された部門コードなど識別符号を取得し、その識別符号でコピーされたこれまでの累積コピー枚数、また設定によっては残コピー枚数をロギング用メモリ２６から取得し、表示部２３に表示させる（ステップ２４）。続いて、管理装置２の制御部２１はデジタル複写機１へ識別符号など管理情報を送信する（ステップ２５）。
デジタル複写機１では、システムコントローラ６がその管理情報をもとに指定された内容のコピーを許可できるか否かを判定し（ステップ２６）、許可できない場合（ステップ２６でＮｏ）、ＬＣＤ３１にその旨を表示させる（ステップ２７）。また、許可できる場合は（ステップ２６でＹｅｓ）、システムコントローラ６はコピー動作を開始させ（ステップ２８）、その後、１枚コピーするごとに管理装置２へカウント要求を送信する（ステップ２９）。
これにより、管理装置２では制御部２１がカウントパラメータなどをもとに使用状況を更新し、更新したデータをロギング用メモリ２６に記憶する（ステップ３０）。なお、管理装置２において管理しない設定になっている項目についてはデジタル複写機１からのカウント要求中の該当項目を無視する。
【００２２】
また、この実施例では、磁気カード２９が抜かれたときに実行中のジョブを中断するかそのまま継続するかを、請求項記載の設定手段が実行に先立ち設定できる。例えばその設定手段を、操作部３に設けた設定キーまたはホスト装置とシステムコントローラ６とから実現して、設定キーまたはホスト装置から指示して、システムコントローラ６が指示内容をメモリに設定するのである（中断指定がなければ継続に設定する）。そして、継続の設定が行われている場合にジョブの途中で磁気カード２９が抜かれた場合には、デジタル複写機１はそのジョブを継続し、ジョブ終了後にその識別符号を無効にする。また、ジョブ終了後に磁気カード２９が抜かれた場合は、その時点で当該識別符号を無効にする。
一方、ジョブ中断の設定にされている場合にジョブの途中で磁気カードが抜かれたならば、デジタル複写機１は即座にそのジョブを停止し、その識別符号を無効にする。また、ジョブ終了後に磁気カード２９が抜かれた場合は、その時点で当該識別符号を無効にする。
また、この実施例では、例えば管理装置２の制御部２１が請求項記載のセキュリティランク取得手段としても機能し、セキュリティランクに依存した設定を行うこともできる。その設定を行う場合には、扱う文書や画像の機密ランクをジョブ指示時、または当該複写機の稼動開始時に、管理装置２の制御部２１が設定メニューを選択させ、セキュリティランクを設定する。個々のデータを対象にセキュリティランクを設定してもよい。この場合、例えば文書ファイルや個々のデータ中にはセキュリティランク情報が設定されているものとする。
そしてコピー時、システムコントローラ６は、文書ファイルやデータから取得したセキュリティランクが低いセキュリティランクである場合にジョブの途中で磁気カード２９が抜かれたときはそのジョブを継続し、ジョブ終了後にその識別符号を無効にする。また、ジョブ終了後に磁気カード２９が抜かれた場合はその時点で当該識別符号を無効にする。
一方、高いセキュリティランクの設定である場合にジョブの途中で磁気カード２９が抜かれたならば、デジタル複写機１は即座にそのジョブを停止し、その識別符号を無効にする。また、ジョブ終了後に磁気カード２９が抜かれた場合は、その時点で当該識別符号を無効にする。
【００２３】
次に、プリント動作だが、前のプリントジョブからの継続でなければ、パーソナルコンピュータなどホスト装置からのプリント指示を受けてもシステムコントローラ６はプリントジョブを開始させない。そして、磁気カード２９の挿入により管理装置２から管理情報を受け取ったときにコピー動作の場合と同様にしてプリント出力を開始する。この後、ジョブ実行中に磁気カード２９は抜かれ、同じ識別符号によるジョブ継続（継続ジョブと称す）で次のジョブのプリント指示をホスト装置から受けたとする。このとき、受け取ったプリントデータにセキュリティランクが設定されていないか、低セキュリティランクに設定されている場合、システムコントローラ６はプリントジョブを直ちに開始する。
それに対して、高いセキュリティランクが設定されている場合は、継続ジョブ時でも、システムコントローラ６は磁気カード２９が管理装置２に挿入され、管理装置２から管理情報を受け取ったから当該プリントジョブを開始する。また、磁気カード２９が抜かれた場合は当該プリントジョブを中断し、スプールしたデータも消去する。
また、ジョブ中断の設定にされている場合の継続ジョブ時も、磁気カード２９を管理装置２に挿入しなければプリントジョブは開始せず、また、磁気カード２９を抜いた場合、ジョブを中断しスプールしたデータも消去する。但し、ホスト装置側で低いセキュリティランクを設定した場合は、この設定が優先し、ホスト装置からのプリント指示とともにプリントジョブを開始する。
前記において、セキュリティランクの設定は、ホスト装置でプリント指示を行う際に、プリンタドライバが利用者にセキュリティランクを指定させ、そのセキュリティランク情報をプリント要求に付加してデジタル複写機１へ送ってもよい。
なお、低いセキュリティランクの場合、またはセキュリティランクの指定がない場合、識別符号などをホスト装置側から送るようにして、継続ジョブでないときでもホスト装置からのプリント指示とともにプリントジョブを開始させることも可能である。
【００２４】
この実施例のデジタル複写機１は文書蓄積（文書保管）機能も持っている。デジタル複写機１に搭載された画像蓄積装置８に対して、画像読み取り装置４やホスト装置から入力された文書データ、または受信したファクシミリ文書データを蓄積するのである。この実施例では、そのような蓄積の際にも文書単位にセキュリティランクを設定できる。
このような蓄積文書のプリント出力については、デジタル複写機１の設置場所まで行って蓄積文書をプリント出力する場合であれば、コピーの際と同様な動作になる。また、ホスト装置からの指示によりプリント出力する場合の動作は前記したプリントに準ずる。
なお、前記においてはセキュリティランクを高と低の２ランクで説明したが、ランクが３つ以上あっても構わない。例えば、セキュリティランクを高中低の３つに分類した場合のプリント出力は次のようにする。
高：ホスト装置側でセキュリティランクを変更できず、磁気カード２９を無条件に管理装置２に挿入しなければプリントジョブは開始せず、また、磁気カード２９を抜いた場合はプリントジョブを中断し、スプールしたデータも消去する。
中：プリント指示時のホスト装置の設定に従う（各利用者の要求に応じた動作）
低：ホスト装置からのプリント指示とともにプリントジョブを開始する。
次に、アプリケーションの割り込み処理（並行処理）を、違う磁気カード２９で行う場合について、図１０に示した動作フロー従って説明する。なお、この動作フローではコピー中にファクシミリ送信を割り込ませるものとする。
まず、例えば部門コード００１の磁気カード２９の挿入により、システムコントローラ６はコピージョブを開始する（ステップ３１）。そして、画像読み取りが終わり、画像形成動作を開始すると、システムコントローラ６は１枚出力するごとに部門コード００１でカウント要求を行う（ステップ３２）。
このプリント実行中にＦＡＸボタン押下を検出すると（ステップ３３）、システムコントローラ６はＬＣＤ３１に「カードをセットして下さい（ＦＡＸ）」と表示する。そして、例えば部門コード００２の磁気カードの挿入が検出されたとする（ステップ３４）。
こうして、部門コード００２の管理情報を受けると、システムコントローラ６は画像形成を継続した状態でファクシミリ送信のための画像読み取りを開始する（ステップ３５）。この状態で画像形成が１枚終了すると、システムコントローラ６は部門コード００１でコピーのカウント要求を行う（ステップ３６）。
一方、ファクシミリ送信のための原稿読み取りが終了すると、システムコントローラ６は送信を開始させる（ステップ３７）。そして、１枚送信し終わるごとに部門コード００２でファクシミリ送信のカウント要求を行う（ステップ３８）。
以下、説明を省略する。
【００２５】
こうして、この実施例によれば、部門情報または利用者情報に対応した累積使用状況を更新できるだけでなく、挿入された磁気カードが装置から外されたとき、その磁気カードに対応した実行中の動作をそのまま続行するか中断するかを条件に応じて決定できるので、利用者の使い勝手が良くなる。例えば、操作部などからの設定次第で、磁気カードがセットされていなければプリント出力を行わないようにできる一方、磁気カードがセットされていなくてもプリント出力を行うようにもできるので、利用者の意図を反映させつつ全体的には利用者の待ち時間を短くすることができる。また、高いセキュリティが要求される文書などをプリント出力する場合にはその文書のジョブに対応した磁気カードがセットされていなければプリント出力を行わず、高いセキュリティが要求されていなければ磁気カードがセットされていなくてもプリント出力を行うので、高いセキュリティを確保しつつ全体的には利用者の待ち時間を短くすることができる。
以上、画像処理資源の使用状況を管理する使用状況管理手段がデジタル複写機の外部にある管理装置である場合について説明したが、使用状況管理手段がデジタル複写機に内蔵された構成でもよい。
【図面の簡単な説明】
【００２６】
【図１】本発明の一実施形態を示す管理装置付きデジタル複写機の外観図である。
【図２】本発明の一実施形態を示す管理装置付きデジタル複写機要部の外観図である。
【図３】本発明の一実施形態を示す管理装置付きデジタル複写機要部のシステム構成図である。
【図４】本発明の一実施形態を示す管理装置付きデジタル複写機ハードウェアの構成図である。
【図５】本発明の一実施形態として管理装置付きデジタル複写機のアプリケーション層とシステム制御層の関係を示す構成図である。
【図６】本発明の一実施形態を示す管理装置付きデジタル複写機のインターリーブ動作の説明図である。
【図７】本発明の一実施形態を示す管理装置付きデジタル複写機の並列動作の説明図である。
【図８】本発明の第１の実施例を示す管理装置付きデジタル複写機の動作フロー図である。
【図９】本発明の第２の実施例を示す管理装置付きデジタル複写機の動作フロー図である。
【図１０】本発明の第２の実施例を示す管理装置付きデジタル複写機の他の動作フロー図である。
【符号の説明】
【００２７】
１  デジタル複写機
２  管理装置
３  操作部
４  画像読み取り装置
５  画像形成装置
６  システムコントローラ
７  ファクシミリ通信部
８  画像蓄積装置
１１  ＣＰＵ
２１  制御部
２３  表示部
２６  ロギング用メモリ
３１  液晶ディスプレイ
３２  アプリケーション切り替えキー
【図１】
2007006400.tif 000003
【図２】
2007006400.tif 000004
【図３】
2007006400.tif 000005
【図４】
2007006400.tif 000006
【図５】
2007006400.tif 000007
【図６】
2007006400.tif 000008
【図７】
2007006400.tif 000009
【図８】
2007006400.tif 000010
【図９】
2007006400.tif 000011
【図１０】
2007006400.tif 000012